(57)【特許請求の範囲】
【請求項１】
建造物の開口部にサッシを建て込む際に、前記サッシの枠体の上枠を支持しつつ、前記枠体の位置決めを行うサッシ枠の位置決め治具であって、
前記開口部近傍に固定される固定部材と、
この固定部材に設けられ、前記サッシの前記枠体の前記上枠を前記サッシの面内方向の左右方向に移動自在にかつ下側から支持する支持部材と、
この支持部材を前記サッシの高さ方向に移動させる高さ方向移動手段と、
前記支持部材を前記サッシの面外方向に移動させる出入り方向移動手段と、
を備え、
前記固定部材は、前記開口部近傍の梁または天井と地面または床とに突き当てた状態で、前記開口部近傍に固定される支柱を備えており、
前記支柱の下部には、前記サッシの前記枠体の下枠が当接される当接部材と、この当接部材を前記サッシの面外方向に移動させる前後方向移動手段が設けられている、
ことを特徴とするサッシ枠の位置決め治具。
【請求項２】
請求項１に記載のサッシ枠の位置決め治具を用いるサッシ枠の位置決め方法であって、
前記開口部近傍に少なくても２つの位置決め治具の前記各固定部材をそれぞれ固定する工程と、
前記各支持部材に前記サッシの前記枠体の前記上枠を架け渡す工程と、
前記サッシの前記枠体の前記下枠を前記当接部材に当接させて前記枠体の振れ止めをする工程と、
前記枠体を前記サッシの面内方向の左右方向に移動させて、前記枠体の左右方向の位置決めを行う工程と、
前記高さ方向移動手段により前記各支持部材を前記サッシの高さ方向に移動させて、前記枠体の高さ方向の位置決めを行う工程と、
前記出入り方向移動手段により前記各支持部材を前記サッシの面外方向に移動させて、前記枠体の出入り方向の位置決めを行う工程と、
前記前後方向移動手段により前記下枠が当接された前記当接部材を前記サッシの面外方向に移動させて、前記枠体の倒れを零にする工程と、
を備えていることを特徴とするサッシ枠の位置決め方法。
【発明の詳細な説明】
【技術分野】
【０００１】
本発明は、建造物の開口部にサッシを建て込む際に、サッシの枠体の上枠を支持しつつ、枠体の位置決めを行うサッシ枠の位置決め治具およびサッシ枠の位置決め方法に関する。
【背景技術】
【０００２】
建造物の開口部にサッシを取り付ける場合、開口部にサッシの枠体（サッシ枠）を正確に位置決めする必要があるが、従来、開口部の内周面と枠体の外周面との間にくさびを挟み、くさびの打ち込み深さを変えることにより、枠体の位置を調整して位置決めをしている。
しかし、このようなくさびを用いたサッシ枠の位置決め方法では、位置調整が非常に難しいとともに、時間がかかるという問題がある。
【０００３】
そこで、特許文献１には、サッシ枠の４隅を支持しながら躯体にサッシ枠を取り付ける方法であって、サッシ枠の上方の２隅内面を支持するためのサッシ取り付け治具を躯体の２隅に設置し、該上方の２隅に位置するサッシ取り付け治具をサッシ枠の取り付け高さを規定する墨部に関して位置決めし、ねじ締め固着する工程と、サッシ枠の下方の２隅内面を支持するためのサッシ取り付け治具を躯体の２隅Ｃ，Ｄに設置し、ねじ締め固着する工程と、躯体の４隅に設置されたサッシ取り付け治具へサッシ枠の内側４隅を架け渡す工程と、サッシ枠の上方２隅内面を支持するサッシ取り付け治具へサッシ枠の上方２隅を仮位置決めする工程と、サッシ枠の上方２隅内面を支持するサッシ取り付け治具を調整してサッシ枠をその幅方向に移動させてその寄り位置を規定する工程と、サッシ枠の上方２隅内面を支持するサッシ取り付け治具を調整してサッシ枠その出入り方向に移動させてその出入り位置を規定する工程と、サッシ枠の上方２隅内面を支持するサッシ取り付け治具へサッシ枠の上方２隅をねじ締め固着する工程と、サッシ枠の下方２隅内面を支持するサッシ取り付け治具へサッシ枠の下方２隅をねじ締め固着する工程と、サッシの上方部分の少なくとも２カ所及び下方部分の少なくとも２カ所をサッシ取り付け躯体へ溶接固着する工程とにより、サッシ枠を位置決めして、躯体にサッシ枠を取り付ける方法が開示されている。
【０００４】
【特許文献１】特許第３５８５３００号公報
【発明の開示】
【発明が解決しようとする課題】
【０００５】
しかしながら、特許文献に記載のようにしてサッシ枠の位置決めを行う場合には、サッシ枠の上方の２隅内面を支持するためのサッシ取り付け治具を、サッシ枠の取り付け高さに合わせて位置決めして、躯体の２隅に設置する必要があり、またサッシ取り付け治具を４箇所に設置する必要がある。さらには、４箇所のサッシ取り付け治具にサッシ枠をねじ締め固着する必要があるなど、サッシ枠の位置決め作業が煩雑である。
【０００６】
本発明は、このような事情に鑑みてなされたもので、サッシ枠の位置決め作業を簡単に行うことができるサッシ枠の位置決め治具およびサッシ枠の位置決め方法を提供することを目的とする。
【課題を解決するための手段】
【０００７】
前記目的を達成するために、請求項１に記載のサッシ枠の位置決め治具は、
建造物の開口部にサッシを建て込む際に、前記サッシの枠体の上枠を支持しつつ、前記枠体の位置決めを行うサッシ枠の位置決め治具であって、
前記開口部近傍に固定される固定部材と、
この固定部材に設けられ、前記サッシの前記枠体の前記上枠を前記サッシの面内方向の左右方向に移動自在にかつ下側から支持する支持部材と、
この支持部材を前記サッシの高さ方向に移動させる高さ方向移動手段と、
前記支持部材を前記サッシの面外方向に移動させる出入り方向移動手段と、
を備え、
前記固定部材は、前記開口部近傍の梁または天井と地面または床とのに突き当てた状態で、前記開口部近傍に固定される支柱を備えており、
前記支柱の下部には、前記サッシの前記枠体の下枠が当接される当接部材と、この当接部材を前記サッシの面外方向に移動させる前後方向移動手段が設けられている、
ことを特徴とする。
【０００８】
また、請求項２記載のサッシ枠の位置決め方法は、
請求項１に記載のサッシ枠の位置決め治具を用いるサッシ枠の位置決め方法であって、
前記開口部近傍に少なくても２つの位置決め治具の前記各固定部材をそれぞれ固定する工程と、
前記各支持部材に前記サッシの前記枠体の前記上枠を架け渡す工程と、
前記サッシの前記枠体の前記下枠を前記当接部材に当接させて前記枠体の振れ止めをする工程と、
前記枠体を前記サッシの面内方向の左右方向に移動させて、前記枠体の左右方向の位置決めを行う工程と、
前記高さ方向移動手段により前記各支持部材を前記サッシの高さ方向に移動させて、前記枠体の高さ方向の位置決めを行う工程と、
前記出入り方向移動手段により前記各支持部材を前記サッシの面外方向に移動させて、前記枠体の出入り方向の位置決めを行う工程と、
前記前後方向移動手段により前記下枠が当接された前記当接部材を前記サッシの面外方向に移動させて、前記枠体の倒れを零にする工程と、
を備えていることを特徴とする。
【発明の効果】
【０００９】
本発明によれば、開口部近傍に少なくても２つの位置決め治具の各固定部材をそれぞれ固定した後、各支持部材にサッシの枠体の上枠を架け渡し、その後枠体をサッシの面内方向の左右方向に移動させて、枠体の左右方向の位置決めを行うとともに、高さ方向移動手段により各支持部材をサッシの高さ方向に移動させて、枠体の高さ方向の位置決めを行い、かつ出入り方向移動手段により各支持部材をサッシの面外方向に移動させて、枠体の出入り方向の位置決めを行うことにより、簡単にサッシ枠の位置決めを行うことができる。
【発明を実施するための最良の形態】
【００１０】
以下、添付した図面を参照しながら、本発明の実施の形態を説明する。
まず、本発明の実施の形態に係るサッシ枠の位置決め治具を説明する。
図１は、本発明の実施の形態に係る位置決め治具を示す図であって、（ａ）は側面図であり、（ｂ）は正面図であり、（ｃ）は後面図であり、（ｄ）は下面図であり、（ｅ）は固定部材の下面図であり、（ｆ）は固定部材の固定受け部材の部分の上面図であり、（ｇ）は固定部材の可動受け部材の部分の上面図である。図２は、図１の位置決め治具の支持部材、高さ方向移動手段および出入り方向移動手段の部分の図であって、（ａ）は分解側面図であり、（ｂ）は（ａ）の要部の下面図である。なお、これらの図において、ハンドルの向きは一致しておらず向きを無視して図示している。
【００１１】
図１および図２に示すように、この位置決め治具Ｇは、躯体に固定される固定部材１と、この固定部材１に設けられ、サッシの枠体の上枠をサッシの面内方向の左右方向に移動自在にかつ下側から支持する支持部材２と、この支持部材２をネジ軸とナット部材とによりサッシの高さ方向に移動させる高さ方向移動手段３と、支持部材２をネジ軸とナット部材とによりサッシの面外方向に移動させる出入り方向移動手段４とを備えている。
【００１２】
固定部材１は、間隔をおいて互いに対向する一対の縦フレーム１１，１１と、これらの縦フレーム１１，１１の下端部どうしを連結する横フレーム１２とを備えている。縦フレーム１１および横フレーム１２は溝形鋼から形成されている。また、縦フレーム１１，１１の下端部どうしは、横フレーム１２と横方向に間隔をおいて配置された帯板状のガイド部材１３により連結されている。また、これらの縦フレーム１１，１１のうちの一方の縦フレーム１１の上端部には、固定受け部材１４が固定され、他方の縦フレーム１１の上端部には、可動受け部材１５が固定受け部材１４に対して進退移動可能に設けられている。固定受け部材１４は横方向に延びる帯板状に形成されており、その表面には滑り止め部材１６が設けられている。可動受け部材１５は、ネジ軸１７の先端部に固定されており、このネジ軸１７は縦フレーム１１の先端部を貫通し、縦フレーム１１に固定されたナット部材１８に螺合している。ネジ軸１７の後端部にはハンドル１９が固定されており、ハンドル１９を正逆回転することにより、ネジ軸１７が進退移動して、可動受け部材１５が固定受け部材１４に対して進退移動するようになっている。固定受け部材１４と可動受け部材１５とにより躯体を挟み込み、位置決め治具Ｇが躯体に固定されるようになっている。
【００１３】
支持部材２は、一対の縦フレーム１１，１１の間に配置されている。この支持部材２は、断面形状が「コ」字状の板状に形成されており、開口部が上側でかつその溝部が縦フレーム１１に沿って横方に延びるように設置されている。支持部材２の溝部にサッシの枠体の上枠が載せられ、かつ上枠が溝部に沿って移動できるようになっており、これにより上枠をサッシの面内方向の左右方向に移動自在にかつ下側から支持するようになっている。支持部材２の上面には保護部材２１が設けられており、上枠に傷が付くのを防止している。
【００１４】
この支持部材２は、固定部材１にネジ軸とナット部材とにより上下移動自在に設けられている。すなわち、支持部材２の下面中央部には下方に延びる角筒状のスライド部材３１が固定されており、このスライド部材３１は、角筒状のスライドケース３２内に上下移動自在に嵌合されている。スライド部材３１内の下端部にはナット部材３３が固定されており、このナット部材３３に螺合するネジ軸３４がスライドケース３２内に設けられている。このネジ軸３４はＵ字状のブラケット３５を貫通し、そしてブラケット３５を挟んでリング部材３６，３６がネジ軸３４に固定されているとともに、ブラケット３５がスライドケース３２の内側にネジ３７により固定されており、これによりスライドケース３２内にネジ軸３４が上下移動することなく同じ位置で正逆回転自在に設けられている。ネジ軸３４の後端部にはハンドル３８が固定されており、ハンドル３８を正逆回転することにより、ネジ軸３４に螺合されたナット部材３３が上下移動し、これに伴ってスライド部材３１およびスライド部材３１に固定された支持部材２が上下移動するようになっている。このようにして、ネジ軸３４とナット部材３３とにより支持部材２をサッシの高さ方向に移動させる高さ方向移動手段３が構成される。
【００１５】
また、この支持部材２は、固定部材１にネジ軸とナット部材とにより固定部材１の可動受け部材１５の移動方向と同じ方向に移動自在に設けられている。すなわち、スライドケース３２の中間部の外側にはナット部材４１が固定されており、このナット部材４１には、固定部材１の可動受け部材１５の移動方向と同じ方向に延びるネジ軸４２が螺合されている。このネジ軸４２は一対の縦フレーム１１，１１を貫通するとともに、各縦フレーム１１，１１の外側にそれぞれ配置されてネジ軸４２にリング部材４３，４３が固定されており、これによりネジ軸４２が進退移動することなく同じ位置で正逆回転自在に設けられている。ネジ軸４２の後端部にはハンドル４４が固定されており、ハンドル４４を正逆回転することにより、ネジ軸４２に螺合されたナット部材４１が固定部材１の可動受け部材１５の移動方向と同じ方向に移動し、これに伴ってナット部材４１に固定されたスライドケース３２が同様に移動し、スライドケース３２に連結された支持部材２が同様に移動するようになっている。このようにして、ネジ軸４２とナット部材４１とにより支持部材２をサッシの面外方向に移動させる出入り方向移動手段４が構成される。
【００１６】
次に、このように構成された位置決め治具Ｇを用いるサッシ枠の位置決め方法を説明する。
まず、番線（紐）を用いて、サッシの枠体（サッシ枠）をサッシを建て込む開口部に吊り下げておく。
次いで、開口部の上部の左右２箇所にそれぞれ、２つの位置決め治具Ｇを設置する。すなわち、位置決め治具Ｇの固定部材１のハンドル１９を回転させてネジ軸１７を前進移動させ、これにより可動受け部材１５を固定受け部材１４に向けて前進移動させて、固定受け部材１４と可動受け部材１５とにより開口部の上側の躯体を前後から挟み込み、位置決め治具Ｇを躯体に固定する。このとき、位置決め治具Ｇの固定部材１の固定受け部材１４と可動受け部材１５との間からサッシの枠体の上枠を縦フレーム１１，１１間に入れておく（位置させておく）。
【００１７】
次いで、各位置決め治具Ｇの各支持部材２にサッシの枠体の上枠を架け渡し、番線を外す。
次いで、枠体をサッシの面内方向の左右方向に移動させて、枠体の左右方向の位置決めを行う。すなわち、枠体を手で持ってサッシの面内方向の左右方向に移動させて、枠体の上枠の芯を開口部の芯墨に合わせ、上枠を各支持部材２に置くとともに、枠体の下枠の芯を開口部の芯墨に合わせ、下枠（または左右の縦枠）の左右外側と躯体との間にくさびまたはバネ式固定治具を設ける（介在させる）。
【００１８】
次いで、位置決め治具Ｇの高さ方向移動手段３により各支持部材２をサッシの高さ方向に移動させて、枠体の高さ方向の位置決めを行う。すなわち、位置決め治具Ｇのハンドル３８を正逆回転させて、ネジ軸３４に螺合されたナット部材３３を上下移動させ、これによりスライド部材３１およびスライド部材３１に固定された支持部材２を上下移動させ、枠体の高さを開口部の陸隅に合わせ、枠体のサッシの面内方向の高さの位置決めを行う。
【００１９】
次いで、位置決め治具Ｇの出入り方向移動手段４により各支持部材２をサッシの面外方向に移動させて、枠体の出入り方向の位置決めを行う。すなわち、位置決め治具Ｇのハンドル４４を正逆回転させて、ネジ軸４２に螺合されたナット部材４１を固定部材１の可動受け部材１５の移動方向と同じ方向（前後方向）に移動させ、これによりナット部材４１に固定されたスライドケース３２およびこのスライドケース３２に連結された支持部材２を同様に移動させ、枠体の出入りを開口部の出入隅に合わせ、枠体のサッシの面外方向の出入りの位置決めを行う。
なお、枠体の出入り方向の位置決めは、左右方向の位置決めの前に行うこともできる。
【００２０】
次いで、下げ振りまたは竪レーザー墨出器を用いて、枠体のサッシの面外方向の縦枠の倒れを零にする。また、枠体のサッシの面内方向の縦枠の歪みを確認し、問題があれば矯正する。
次いで、枠体のサッシの面内方向の高さと左右方向の位置とがずれていないかを確認する。
【００２１】
このようにして、サッシの枠体の位置決めを行った後、開口部の躯体のアンカーと枠体のアンカーとを溶接して、枠体を開口部に固定する。その後、枠体に障子を吊り込む（装着する）。
【００２２】
このようなサッシ枠の位置決め治具およびサッシ枠の位置決め方法にあっては、躯体に２つの位置決め治具Ｇの各固定部材１をそれぞれ固定した後、各支持部材２にサッシの枠体の上枠を架け渡し、その後枠体をサッシの面内方向の左右方向に手で移動させて、枠体の左右方向の位置決めを行い、そして高さ方向移動手段３により各支持部材２をサッシの高さ方向に移動させて、枠体の高さ方向の位置決めを行うとともに、出入り方向移動手段４により各支持部材２をサッシの面外方向に移動させて、枠体の出入り方向の位置決めを行うことにより、簡単にサッシ枠の位置決めを行うことができる。
【００２３】
図３は、本発明の他の実施の形態に係る位置決め治具を示す図である。
前述の実施の形態の位置決め治具Ｇの固定部材１は、躯体を挟み込むことにより位置決め治具Ｇを固定したが、本実施の形態の位置決め治具Ｇ１の固定部材１Ａは、開口部近傍の梁や天井と地面や床との間に突っ張ることで、位置決め治具Ｇ１を開口部近傍に固定するようになっている。すなわち、この固定部材１Ａは、角筒の組合せからなり、伸縮自在でかつネジにより任意の長さに固定できる支柱５１を備えており、開口部近傍の梁や天井と地面や床とに突き当てた状態で支柱５１が垂直に設置される。また、固定部材１Ａは、間隔をおいて互いに対向する縦フレーム１１Ａ，１１Ｂと、これらの縦フレーム１１Ａ，１１Ｂの下端部どうしを連結する横フレーム１２とを備えている。縦フレーム１１Ａ，１１Ｂおよび横フレーム１２は溝形鋼から形成されている。支柱５１側の縦フレーム１１Ａは、万力５３により支柱５１に固定され、これにより横フレーム１２が開口部の前後方向に延びるようになっている。先端側に位置する縦フレーム１１Ｂは長さが短く形成されている。なお、万力５３の代わりにボルト等により支柱５１に縦フレーム１１Ｂを固定するようにしてもよい。
【００２４】
また、本実施の形態では、出入り方向移動手段４のネジ軸４２が、縦フレーム１１，１１ではなく、縦フレーム１１Ａ，１１Ｂを貫通するとともに、各縦フレーム１１Ａ，１１Ｂの外側にそれぞれ配置されてネジ軸４２にリング部材４３，４３が固定されている。支持部材２、高さ方向移動手段３および出入り方向移動手段４は、それ以外は前述の実施の形態と同様に形成されている。
【００２５】
また、本実施の形態では、支柱５１の下部に、サッシの枠体下枠に当接されて、枠体の振れ止めと倒れを調整する当接部材６０が設置されている。この当接部材６０は、板状に形成され、垂直に配置されている。当接部材６０の表面には保護部材６０ａが設けられており、下枠に傷が付くのを防止している。当接部材６０は、支柱５１にネジ軸とナット部材とにより開口部の前後方向に移動自在に設けられている。すなわち、当接部材６０の裏面中央部には支柱５１に向かって水平に延びる角筒状のスライド部材６１が固定されており、このスライド部材６１は、角筒状のスライドケース６２内に水平移動自在に嵌合されている。スライド部材６１内の後端部にはナット部材６３が固定されており、このナット部材６３に螺合するネジ軸６４がスライドケース６２内に設けられている。このネジ軸６４はＵ字状のブラケット６５を貫通し、そしてブラケット６５を挟んでリング部材６６，６６がネジ軸６４に固定されているとともに、ブラケット６５がスライドケース６２の内側にネジ６７により固定されており、これによりスライドケース６２内にネジ軸６４が移動することなく同じ位置で正逆回転自在に設けられている。ネジ軸６４の後端部にはハンドル６８が固定されており、ハンドル６８を正逆回転することにより、ネジ軸６４に螺合されたナット部材６３が上下移動し、これに伴ってスライド部材６１およびスライド部材６１の先端部に固定された当接部材６０が開口部の前後方向に水平移動するようになっている。このようにして、ネジ軸６４とナット部材６３とにより当接部材６０を開口部の前後方向に移動させる前後方向移動手段７０が構成される。スライドケース６２は帯板状の縦フレーム７１に溶接等により固定されており、縦フレーム７１は万力５３により支柱５１の下部に固定されている。なお、万力５３の代わりにボルト等により支柱５１に縦フレーム７１を固定するようにしてもよい。
【００２６】
次に、このように構成された位置決め治具Ｇ１を用いるサッシ枠の位置決め方法を説明する。
まず、前述の実施の形態と同様に、番線（紐）を用いて、サッシの枠体（サッシ枠）Ｗをサッシを建て込む開口部に吊り下げておく。
次いで、開口部近傍の左右２箇所にそれぞれ、２つの位置決め治具Ｇ１を設置する。すなわち、開口部近傍の左右２箇所にそれぞれ、固定部材１Ａの支柱５１を梁や天井と地面や床とに突き当てて設置した後、万力５３により支柱５１の上部に縦フレーム１１Ａを固定するとともに、万力５３により支柱５１の下部に縦フレーム７１を固定する。
【００２７】
その後は、前述の実施の形態と同様である。
ただし、本実施の形態では、当接部材６０をサッシの枠体Ｗの下枠Ｓに当接させておき、枠体Ｗの振れ止めを行う。また、枠体Ｗのサッシの面外方向の縦枠Ｔの倒れを零にする際に、ネジ軸６４とナット部材６３とを用いた前後方向移動手段７０により開口部の前後方向に移動する当接部材６０を用いる。すなわち、ハンドル６４を正逆回転させて、ネジ軸６２に螺合されたナット部材６１を枠体Ｗのサッシの面外方向（前後方向）に移動させ、これによりナット部材６１に固定されたスライドケース６２およびこのスライドケース６２に連結された当接部材６０を同様に移動させ、当接部材６０に当接された下枠Ｓを移動させて、下枠Ｓを下げ振りまたは竪レーザー墨出器の位置に合わせる。
【００２８】
このサッシ枠の位置決め治具およびサッシ枠の位置決め方法にあっては、開口部近傍に２つの位置決め治具Ｇ１を設置した後、各支持部材２にサッシの枠体Ｗの上枠Ｕを架け渡し、その後枠体Ｗをサッシの面内方向の左右方向に手で移動させて、枠体Ｗの左右方向の位置決めを行い、そして高さ方向移動手段３により各支持部材２をサッシの高さ方向に移動させて、枠体Ｗの高さ方向の位置決めを行うとともに、出入り方向移動手段４により各支持部材２をサッシの面外方向に移動させて、枠体Ｗの出入り方向の位置決めを行うことにより、簡単にサッシ枠の位置決めを行うことができる。
また、前後方向移動手段７０により開口部の前後方向に移動する当接部材６０を用いて、簡単に枠体Ｗの振れ止めと倒れを調整することができる。
【００２９】
なお、前述の各実施の形態では、２つの位置決め治具Ｇ，Ｇ１を用いるようにしたが、３つ以上用いるようにしてもよい。
また、前述の各実施の形態では、障子を外した状態でサッシの枠体の上枠を支持部材２に支持するようにしたが、枠体に障子を装着した状態で、障子を開けて上枠を支持部材２に支持させるようにしてもよい。また、ガラス等のパネル体を取り付けられていない障子が枠体に装着されている場合には、障子の上框を支持部材２に支持させることにより、この上框と上枠とを一緒に支持部材２に支持させるようにしてもよい。さらに、段窓サッシ等の場合には、段窓無目を支持部材２に支持させるようにしてもよい。したがって、特許請求の範囲における「上枠」には、上框とともに上枠を支持部材に支持させる場合のほか、段窓無目等も含むものである。この場合、支持部材２の構造は、上枠、上框、段窓無目等の形状に合わせたものにするのが好ましい。
【図面の簡単な説明】
【００３０】
【図１】本発明の実施の形態に係る位置決め治具を示す図であって、（ａ）は側面図であり、（ｂ）は正面図であり、（ｃ）は後面図であり、（ｄ）は下面図であり、（ｅ）は固定部材の下面図であり、（ｆ）は固定部材の固定受け部材の部分の上面図であり、（ｇ）は固定部材の可動受け部材の部分の上面図である。
【図２】図１の位置決め治具の支持部材、高さ方向移動手段および出入り方向移動手段の部分の図であって、（ａ）は分解側面図であり、（ｂ）は（ａ）の要部の下面図である。
【図３】本発明の他の実施の形態に係る位置決め治具を示す側面図である。
【符号の説明】
【００３１】
Ｇ，Ｇ１    位置決め治具
１，１Ａ    固定部材
２    支持部材
３    高さ方向移動手段
４    出入り方向移動手段
３３    ナット部材
３４    ネジ軸
４１    ナット部材
４２    ネジ軸
Ｗ    枠体
Ｕ    上枠
【図１】
0005100240.tif 000002
【図２】
0005100240.tif 000003
【図３】
0005100240.tif 000004